(57)【要約】【課題】  水平な平坦地に設置したときは勿論、門扉の開閉方向で傾斜がある傾斜地に設置しても、その門扉の構成部材であるすべての支柱部材を設置面の傾斜角に拘らず鉛直な向きで設置できると共に、その鉛直姿勢のままで開閉動作が可能であり、しかも、至ってシンプルな構成により前記機能を果す伸縮門扉を提供すること。【解決手段】  複数本の縦向きの平行な支柱部材１〜５と、各支柱部材１〜５間に枢着して架設されるパンタグラフ状の棧部材11a〜14eとを具備し、前記パンタグラフ状の棧部材11a〜14eが伸縮変形して各支柱部材１〜５を相互に離間又は接近する動作によって開閉される伸縮門扉において、前記棧部材11a〜14eの中間部に、当該棧部材11a〜14eの同軸上で長さを変更できる長さ変更機構Lmを設けたことにより、傾斜地に門扉を設置したとき、その傾斜角に対応し前記棧部材11a〜14eの長さを変更させて前記支柱部材１〜５を鉛直姿勢に保持しかつ開閉動作するようにしたこと。【選択図】図１
2005336816.tif 000002
【特許請求の範囲】
【請求項１】
複数本の縦向きの平行な支柱部材と、各支柱部材間に枢着して架設されるパンタグラフ状の棧部材とを具備し、前記パンタグラフ状の棧部材が伸縮変形して各支柱部材を相互に離間又は接近する動作によって開閉される伸縮門扉において、前記棧部材の中間部に、当該棧部材の同軸上で長さを変更できる長さ変更機構を設けたことにより、傾斜地に門扉を設置したとき、その傾斜角に対応し前記棧部材の長さを変更させて前記支柱部材を鉛直姿勢に保持しかつ開閉動作するようにしたことを特徴とする伸縮門扉。
【請求項２】
長さ変更機構は、各棧部材の中間部を切り離し、該切り離し部の間に、その切り離し部の間を跨いで棧部材との間で当該桟部材の同軸上において相対スライドする鞘部材を挿装した請求項１の伸縮門扉。
【請求項３】
各棧部材の長さ変更機構は、各棧部材同士の枢着部近傍、並びに、各棧部材と支柱部材との枢着部近傍に設けた請求項１又は２の伸縮門扉。
【請求項４】
各棧部材の長さ変更機構は、各棧部材の長さ方向両端部近くに設けた請求項１又は２の伸縮門扉。
【発明の詳細な説明】
【技術分野】
【０００１】
本発明は様々な傾斜角の傾斜地に設置しても、夫々の傾斜角に合せて支柱部材（又は、縦棧ともいう。以下、同じ）に鉛直姿勢を保持させ、各支柱部材が鉛直姿勢のままで開閉動作することを可能にした伸縮門扉に関する。
【背景技術】
【０００２】
複数本の支柱部材をレージトング、或は、パンタグラフタイプの平行リンクにより相互に連結して成り、閉扉時には、前記平行リンクを伸長する側に変形させて扉全体を広げ、開扉時には前記平行リンクを収縮する側に変形させて扉全体を縮小するように操作される伸縮門扉は、住宅や各種施設などの出入口などに設置して使用されており、広く知られている。
【０００３】
上記のような伸縮門扉は、その扉が設置される門扉の開閉方向の地面が原則として水平に整えられた住宅や各種施設の出入口のみならず、仮囲いで囲まれた工事現場等の出入口にも用いられるが、工事現場の場合には、その工区への出入口が傾斜地に設定されることがままあり、そのような傾斜地に伸縮門扉が設置されると、その門扉を構成する支柱部材（縦棧）が当該傾斜地の傾斜角に沿って傾いて設置されてしまうため、当該門扉が円滑な開閉動作をし難くなったり、門扉全体が傾いて見えるため見映えも良好でないという問題がある。また、様々な工事現場では傾斜地の傾斜角も区々であるため、この傾斜角の違いにも対応できる機能が必要である。このような点に鑑み、特許文献１〜４には傾斜地用の伸縮門扉が提案されている。しかし、提案されている傾斜地用の伸縮門扉は、棧部材の傾斜地における変形を吸収するための別部材を設けたり、独立構造の変形吸収機構を用いるため、余計な部材が門扉の構成メンバの中に見えて見映えが好ましくないほか、リンク構造も複雑になるという難点がある。
【特許文献１】特開２００１−１５２７６９号公報
【特許文献２】特開平１０−１５３０７１号公報
【特許文献３】特開平９−２０９６７１号公報
【特許文献４】特開平１０−１３１６４８号公報
【発明の開示】
【発明が解決しようとする課題】
【０００４】
そこで本発明では、上記のような点に鑑み水平な平坦地に設置したときは勿論、門扉の開閉方向で傾斜がある傾斜地に設置しても、その門扉の構成部材であるすべての支柱部材を設置面の傾斜角に拘らず鉛直な向きで設置できると共に、その鉛直姿勢のままで開閉動作が可能であり、しかも、至ってシンプルな構成により前記機能を果す伸縮門扉を提供することを課題とする。
【課題を解決するための手段】
【０００５】
上記課題を解決することを目的としてなされた本発明伸縮門扉の構成は、複数本の縦向きの平行な支柱部材と、各支柱部材間に枢着して架設されるパンタグラフ状の棧部材とを具備し、前記パンタグラフ状の棧部材が伸縮変形して各支柱部材を相互に離間又は接近する動作によって開閉される伸縮門扉において、前記棧部材の中間部に、当該棧部材の同軸上で長さを変更できる長さ変更機構を設けたことにより、傾斜地に門扉を設置したとき、その傾斜角に対応し前記棧部材の長さを変更させて前記支柱部材を鉛直姿勢に保持しかつ開閉動作するようにしたことを特徴とするものである。
【０００６】
本発明伸縮門扉では、長さ変更機構を、各棧部材の中間部を切断などにより切り離し、該切り離し部の間に、該部の間を跨いで棧部材との間で当該桟部材の同軸上において相対スライドする鞘部材を挿装した形態とすることが望ましい。また、各棧部材の中間切断部は、各棧部材の長さ方向の一端部近く、好ましくは両端部近くに形成し、従って、前記長さ変更機構は、各棧部材同士の両端又は一端の枢着部近傍、並びに、各棧部材両端又は一端と支柱部材との枢着部近傍に設けることが、長さ変更動作をスムーズにする上で好ましい。
【発明の効果】
【０００７】
パンタグラフ状の棧部材で複数本の平行な支柱部材（縦棧）を互に連結した伸縮門扉において、前記棧部材に、その中間部に当該棧部材の長さを変更できる長さ変更機構を備えたものを使用し、傾斜地に前記支柱部材を鉛直姿勢を保持して設置するとき、傾斜角に対応して前記棧部材の同軸上で長さを変更するようにしたから、傾斜地の傾斜角に合せて各棧部材の長さを変更することができ、これによってすべての支柱部材が常に鉛直姿勢に保持されて開閉動作をする伸縮門扉を得ることができる。また、棧部材の長さ変更は、当該棧部材の同軸上で長さ変更機構が伸縮することによりなされるから、余計なリンクがはみ出したり、リンク構造が複雑になることはない。
【発明を実施するための最良の形態】
【０００８】
次に本発明伸縮門扉の実施形態の例について図を参照しつつ説明する。図１は本発明伸縮門扉の一例を傾斜地に設置した例の正面図、図２は図１の門扉における要部を抽出して拡大した正面図、図３は棧部材の長さ変更機構の一例を示す正面図、図４は図３の長さ変更機構の断面図、図５は長さ変更機構の別例を示す正面図、図６は、図５の長さ変更機構の断面図である。
【０００９】
図１は、本発明伸縮門扉FGを傾斜地Sgに設置した例の正面図である。この図において、１〜５は平行な支柱部材たる５本の縦棧で、このうち両外端と中間の縦棧１，５と３の下端部にはキャスタ６，７，８が取付けられており、残りの縦棧２，４の下端には、支脚バー９，10が設けられている。ここで、キャスタ６〜８や支脚バー９，10は、扉全体の自重による垂れ下り防止と、開閉動作時の扉を支持するために設けられているが、支脚バー９，10は設けられない場合もある。なお、キャスター６〜８や支脚バー９，10を設置する縦棧は上記例に限られるものではない。門扉を形成する縦棧の本数は、上記例の５本以上、或は、５本以下と任意だからである。
【００１０】
上記の各支柱部材たる縦棧１〜５は、互に適宜離間して平行に配置された状態で、パンタグラフ状リンクとして作用する棧部材によって離間／接近可能に連結される。即ち、この棧部材は、図１の実施例では各縦棧１〜４の下部から順に右隣の縦棧２〜５の上部に右上り傾斜で架設される４本の棧部材11a，11b，11c，11dと、縦棧５〜２の下部から順に左隣の縦棧４〜１の上部に左上り傾斜で架設される棧部材12a，12b，12c，12dと、前記棧部材11a〜11dの間、並びに、棧部材12a〜12dの間に、それぞれ平行に架設される棧部材13a，13b，13cとこれらの棧部材13a〜13cと平行な両エンドの棧部材13d，13eと、同じく、棧部材14a，14b，14cとこれらの棧部材14a〜14cと平行な両エンドの棧部材14d，14eの各棧部材がパンタグラフ状をなして各縦棧１〜５に連結されることにより門扉の伸縮機能部を形成している。
【００１１】
上記の各棧部材において、棧部材11a〜11dと12a〜12dは、縦棧１〜５の下部との交接点と棧部材同士の交点において夫々にピン枢着fP（以下、枢着点fPともいう）される一方、縦棧１〜５の上部との交接点においては縦棧に沿って（同軸上で）スライド可能にスライド枢着sP（以下、枢着点sPともいう）されることにより、門扉の伸縮動作を追従するように形成されている。従って、各棧部材11a〜11dと12a〜12dにおけるピン枢着fPとスライド枢着sPの位置は、上記例とは逆にすることができる。
【００１２】
一方、棧部材13a〜13eと14a〜14eは、各縦棧１〜５との交接点及び棧部材同士の交点において、ピン枢着fPされている。
【００１３】
上記の縦棧１〜５から各棧部材11a〜14e、並びに、各枢着点sP，fPの構成は、従来公知の伸縮門扉と同じ構成であるが、この構成の門扉では、その開閉方向の設置面Sgが傾斜していると、縦棧１〜５がその傾斜角によって傾いて立設された姿勢となるので、見映えが優れないばかりか、開閉動作も円滑になりにくくなる点は、先に述べた通りである。
【００１４】
そこで本発明門扉では、上記問題点に対処するため、各棧部材11a〜11dと12a〜12dの長さ方向両端部近く、即ち、各縦棧１〜５との上下の枢着点sPとfPの近傍、並びに、棧部材13a〜13eと14a〜14e同士の上下の枢着点fPの近傍（但し、棧部材14eと13dは、縦棧１と５の枢着点fPの近傍及び棧部材13aと棧部材14cの枢着点fPの近傍）に、図３〜図６に例示した長さ変更機構Lmを設けて、図１に例示するように傾斜地に本発明門扉を設置したとき、すべての縦棧１〜５を鉛直向きで設置すると共に、これにより各棧部材11a〜14eに生じる長さの変化を吸収するようにしたので、次にその長さ変更機構Lmについて、図３〜図６及び図２を参照して説明する。
【００１５】
各棧部材11a〜14eは、通常、アルミニウム等の金属製又はプラスチック製などのパイプ材又は棒材により形成されている。図１の実施例において、本発明伸縮門扉の各棧部材11a〜14eは、13eと14dを除いて、長さ方向の近くにおいて切断すると共に、棧部材13eと14dは上端近くで切断し、各切断部にアウター式の鞘部材15、又は、インナー式の鞘部材16を装着することにより、各棧部材の切断部をその同軸上において伸縮自在に接続して長さ変更機構Lmを形成した。なお、図３〜図６に示した長さ変更機構Lmの例は、棧部材11aに適用した例として表しているが、他の棧部材11b〜についても同様である。
【００１６】
図３，図４のアウター式の鞘部材15は、切断して分離した棧部材11a′，11a″に外挿される合わせ筒状部材15aにより形成し、この部材15aの一端部を分離した一方の棧部材11a′にボルト等によって固定15bすると共に、他方の棧部材11a″にガイドピン15cを設け、このピン15cを筒状部材15aに形成したガイド長穴15dに入れることにより、長穴15dの長さの範囲で、棧部材11aの全体の長さを自在に変更できるようにしている。
【００１７】
図５，図６のインナー式の鞘部材16は、切断して分離した棧部材11a′，11a″に内挿される合わせ筒状部材16aにより形成し、この部材16aの一端側を、分離した一方の棧部材11a′に接合剤などにより固定16bすると共に、他方の棧部材11a″にガイドピン16cを設け、このピン16cを筒状部材16aに形成したガイド長穴16dに入れることにより、長穴16dの長さの範囲内で棧部材11aの全体の長さを自在に変更できるようにしている。なお、各棧部材11a〜14eが棒材の場合、各棧部材に備えさせる長さ変更機構Lmは、アウター式のものを用いる。
【００１８】
いま、本発明伸縮門扉FGが、図１に仮想線で示す水平な地面Hgにその縦棧１〜５を鉛直にして設置されていた位置から、図１において左側上りに勾配が付いた傾斜地Sgに縦棧１〜５を鉛直にして設置されたとすると、各棧部材11a〜14eにおいて、左側に傾いて設けられている棧部材12a〜12dと14a〜14eは、両端の枢着点間の距離が拡大する一方、右側に傾いて設けられている棧部材11a〜11dと13a〜13eは、両端の枢着点間の距離が縮小する。因に、公知の伸縮門扉では、使用した棧部材の長さが不変であるから、上記の距離の変化には対応できず、従って、縦棧（支柱部材）は傾斜面に対し直角に立つ（非鉛直）ので、傾いて見える。
【００１９】
本発明伸縮門扉では、上記の各棧部材12a〜12dと14a〜14eの枢着点間の拡大、並びに、各棧部材11a〜11dと13a〜13eの枢着点間の縮小を、各棧部材に挿入して設けた長さ変更機構Lmが各棧部材の同軸上で伸縮することにより吸収するので、傾斜地Sgに縦棧１〜５を鉛直姿勢で立てることができ、その鉛直姿勢を常に保持することができることとなる。
【００２０】
本発明は、図示したパンタグラフ形態の例に限られず、あらゆる形態のパンタグラフ機構による伸縮機能を有する伸縮門扉に適用することができる。また、棧部材によるパンタグラフ機構と縦棧（支柱部材）が複層（前後で多重）構造であっても適用可能である。さらに、棧部材の長さ変更機構も実施例に示したもののほか、縦棧の角度を鉛直に保持することにより変化する棧部材の両端枢着点間の距離の変化に対応できる構造であればよい。
【産業上の利用可能性】
【００２１】
本発明は以上の通りであって、パンタグラフ機構を棧部材として採用している伸縮門扉の棧部材にその同軸上でスライドすることにより伸縮する長さ変更機構を具備させたので、傾斜地に設置する伸縮門扉の縦棧を傾斜角の大小に拘らず鉛直にして設置しても、それによる長さの変化を吸収でき、従って、平坦地，傾斜地に拘らず、常に門扉の縦棧を鉛直な姿勢で設置し、その姿勢で開閉動作させることができる。また、上記長さ変更機構は、棧部材と同軸上に収まりかつその同軸上で作動するので、傾斜地に設置した場合でも、余計なリンクが棧部材からはみ出さないので、見映えの点でも至って良好である。
【図面の簡単な説明】
【００２２】
【図１】本発明伸縮門扉の一例を傾斜地に設置した例の正面図。
【図２】図１の門扉における要部を抽出して拡大した正面図。
【図３】棧部材の長さ変更機構の一例を示す正面図。
【図４】図３の長さ変更機構の断面図。
【図５】長さ変更機構の別例を示す正面図。
【図６】図５の長さ変更機構の断面図。
【符号の説明】
【００２３】
１〜５      縦棧（支柱部材）
６〜８      キャスタ
９，10      支脚バー
11a〜11d、13a〜13e    右傾斜の棧部材
12a〜12d、14a〜14e    左傾斜の棧部材
15          アウター式の鞘部材
16          インナー式の鞘部材
【図１】
2005336816.tif 000003
【図２】
2005336816.tif 000004
【図３】
2005336816.tif 000005
【図４】
2005336816.tif 000006
【図５】
2005336816.tif 000007
【図６】
2005336816.tif 000008